(57)【要約】      （修正有）【課題】内視鏡洗浄装置における洗浄槽内を十分に乾燥させ、衛生状態を保持する。【解決手段】内視鏡が収容されるとともに、洗浄用または消毒用の液体が貯留される洗浄槽２０を備えた内視鏡洗浄装置において、洗浄槽２０の底面２０Ｃを加熱する加熱手段３０と、洗浄または消毒のために洗浄槽２０に前記液体が貯留されていない間に、加熱手段３０に底面２０Ｃを加熱させる加熱制御手段とを備える。【選択図】図３
2010233634.tif 000002
【特許請求の範囲】
【請求項１】
内視鏡が収容されるとともに、洗浄用または消毒用の液体が貯留される洗浄槽を備えた内視鏡洗浄装置において、
前記洗浄槽の底面を加熱する加熱手段と、
洗浄または消毒のために前記洗浄槽に前記液体が貯留されていない間に、前記加熱手段に前記底面を加熱させる加熱制御手段とを備えたことを特徴とする内視鏡洗浄装置。
【請求項２】
前記加熱制御手段が、洗浄または消毒のために前記洗浄槽に前記液体が貯留されている間に、前記加熱手段に前記底面を加熱させるものであることを特徴とする請求項１記載の内視鏡洗浄装置。
【請求項３】
前記加熱手段が、前記洗浄槽の最底面に設けられたものであることを特徴とする請求項１または２項記載の内視鏡洗浄装置。
【請求項４】
前記洗浄槽の底面が、前記洗浄槽の最底面に前記液体が流れていくような傾斜面を有するものであることを特徴とする請求項１から３いずれか１項記載の内視鏡洗浄装置。
【請求項５】
前記洗浄槽の底面の傾斜面に撥水加工が施されていることを特徴とする請求項４項記載の内視鏡洗浄装置。
【請求項６】
前記洗浄槽の底面の傾斜面に、前記最底面に向かって延びる帯状の撥水加工部が該撥水加工部の長さ方向に直交する方向に所定の間隔を空けて複数配列されて設けられているとともに、
前記撥水加工部の間隔部分の延長線上の前記最底面に前記加熱手段が帯状に所定の間隔を空けて設けられていることを特徴とする請求項５記載の内視鏡洗浄装置。
【請求項７】
前記洗浄槽を開閉するための蓋部と、
前記洗浄槽に洗浄または消毒のために前記液体が貯留されていない間に前記加熱手段により前記洗浄槽の底面が加熱されるときに、前記蓋部が自動的に開くように制御する開閉制御手段とを備えたことを特徴とする請求項１から６いずれか１項記載の内視鏡洗浄装置。
【請求項８】
前記洗浄槽の温度を検出する温度検出部を備え、
前記加熱制御手段が、前記温度検出部により検出された温度に基づいて前記加熱手段の温度を制御するものであることを特徴とする請求項１から７いずれか１項記載の内視鏡洗浄装置。
【請求項９】
前記加熱制御手段が、前記温度検出部により検出された温度が所定の閾値以上である場合には、前記加熱手段の動作を停止するものであることを特徴とする請求項８記載の内視鏡洗浄装置。
【請求項１０】
前記温度検出部が、前記洗浄槽に貯留された前記液体の温度を検出するものであり、
前記加熱制御手段が、前記洗浄槽に前記液体が貯留されている間に前記温度検出部により検出された前記液体の温度に基づいて前記加熱手段の温度を制御するものであることを特徴とする請求項８または９記載の内視鏡洗浄装置。
【請求項１１】
前記洗浄槽内の湿度を検出する湿度検出部を備え、
前記加熱制御手段が、前記湿度検出部により検出された湿度に基づいて前記加熱手段の温度を制御するものであることを特徴とする請求項１から１０いずれか１項記載の内視鏡洗浄装置。
【請求項１２】
前記洗浄槽内における前記内視鏡の有無を検出する内視鏡検出部を備え、
前記加熱制御手段が、前記内視鏡検出部により前記内視鏡が有ることが検出されている間は前記加熱手段による加熱を行わないことを特徴とする請求項１から１１いずれか１項記載の内視鏡洗浄装置。
【請求項１３】
前記洗浄槽に洗浄または消毒のために前記液体が貯留されていない間に、前記加熱手段により前記洗浄槽の底面が加熱された後、省電力モードに切り替える省電力制御手段を備えたことを特徴とする請求項１から１２いずれか１項記載の内視鏡洗浄装置。
【発明の詳細な説明】
【技術分野】
【０００１】
本発明は、内視鏡が収容されるとともに、洗浄用または消毒用の液体が貯留される洗浄槽を備えた内視鏡洗浄装置に関するものである。
【背景技術】
【０００２】
従来、医療分野においては、内視鏡を利用した医療診断が広く行なわれている。診断に用いる内視鏡としては、現在では内視鏡の挿入先端部にＣＣＤ等の撮像素子を内蔵して体腔内の画像を撮影し、コンピューターで処理を行った後にモニターに表示するものが一般的である。
【０００３】
そして、被験者の体腔内に挿入された内視鏡はそのつど洗浄、消毒する必要があるが、この洗浄、消毒を行なう装置としては、たとえば特許文献１に記載のように、洗浄槽内に内視鏡を設置し、その洗浄槽に洗浄剤または消毒剤を供給することによって洗浄、消毒を行うものが提案されている。
【０００４】
そして、特許文献１においては、内視鏡洗浄装置における洗浄水を流す洗浄水管路に水が残って雑菌などが繁殖するのを防止するため、洗浄水管路に温風を流して乾燥させる方法が提案されている。
【先行技術文献】
【特許文献】
【０００５】
【特許文献１】特開平５−９５９０１号公報
【発明の概要】
【発明が解決しようとする課題】
【０００６】
しかしながら、内視鏡洗浄装置においては、洗浄水管路だけでなく、洗浄槽内にも洗浄水などが残留する場合があり、このような残留液も雑菌などの繁殖の原因となるので衛生上よくない。そして、特許文献１に記載の構成では、洗浄水管路を乾燥させることは可能であるが、洗浄槽には広い範囲に亘って液体が残留するため、十分に乾燥させることができない場合がある。
【０００７】
本発明は上記の問題に鑑みてなされたものであり、洗浄槽内を十分に乾燥することができ、衛生状態を保持することができる内視鏡洗浄装置を提供することを目的とする。
【課題を解決するための手段】
【０００８】
本発明の内視鏡洗浄装置は、内視鏡が収容されるとともに、洗浄用または消毒用の液体が貯留される洗浄槽を備えた内視鏡洗浄装置において、洗浄槽の底面を加熱する加熱手段と、洗浄または消毒のために洗浄槽に液体が貯留されていない間に、加熱手段に底面を加熱させる加熱制御手段とを備えたことを特徴とする。
【０００９】
また、上記本発明の内視鏡洗浄装置においては、加熱制御手段を、洗浄または消毒のために洗浄槽に液体が貯留されている間に、加熱手段に底面を加熱させるものとすることができる。
【００１０】
また、加熱手段を、洗浄槽の最底面に設けるようにすることができる。
【００１１】
また、洗浄槽の底面を、洗浄槽の最底面に液体が流れていくような傾斜面を有するものとすることができる。
【００１２】
また、洗浄槽の底面の傾斜面に撥水加工を施すようにすることができる。
【００１３】
また、洗浄槽の底面の傾斜面に、最底面に向かって延びる帯状の撥水加工部を撥水加工部の長さ方向に直交する方向に所定の間隔を空けて複数配列して設けるとともに、撥水加工部の間隔部分の延長線上の最底面に加熱手段を帯状に所定の間隔を空けて設けることができる。
【００１４】
また、洗浄槽を開閉するための蓋部と、洗浄槽に洗浄または消毒のために液体が貯留されていない間に加熱手段により洗浄槽の底面が加熱されるときに、蓋部が自動的に開くように制御する開閉制御手段とを設けることができる。
【００１５】
また、洗浄槽の温度を検出する温度検出部を設け、加熱制御手段を、温度検出部により検出された温度に基づいて加熱手段の温度を制御するものとすることができる。
【００１６】
また、加熱制御手段を、温度検出部により検出された温度が所定の閾値以上である場合には、加熱手段の動作を停止させるものとすることができる。
【００１７】
また、温度検出部を、洗浄槽に貯留された液体の温度を検出するものとし、加熱制御手段を、洗浄槽に液体が貯留されている間に温度検出部により検出された液体の温度に基づいて加熱手段の温度を制御するものとすることができる。
【００１８】
また、洗浄槽内の湿度を検出する湿度検出部を設け、加熱制御手段を、湿度検出部により検出された湿度に基づいて加熱手段の温度を制御するものとすることができる。
【００１９】
また、洗浄槽内における内視鏡の有無を検出する内視鏡検出部を設け、加熱制御手段を、内視鏡検出部により内視鏡が有ることが検出されている間は加熱手段による加熱を行わないものとすることができる。
【００２０】
また、洗浄槽に洗浄または消毒のために液体が貯留されていない間に、加熱手段により洗浄槽の底面が加熱された後、省電力モードに切り替える省電力制御手段を設けることができる。
【００２１】
ここで、上記「省電力モード」とは、装置の少なくとも一部への電力の供給を停止することをいう。装置全体を制御する制御部以外の全て部分への電力供給を停止することが望ましい。
【発明の効果】
【００２２】
本発明の内視鏡洗浄装置によれば、洗浄または消毒のために洗浄槽に液体が貯留されていない間に、洗浄槽の底面を加熱させるようにしたので、洗浄槽内を十分に乾燥させることができ、衛生状態を保持することができる。
【００２３】
また、上記本発明の内視鏡洗浄装置において、洗浄または消毒のために洗浄槽に貯留されている液体を加熱する加熱手段を、洗浄槽内に残留した液体を乾燥させる加熱手段として供用するようにした場合には、乾燥のための加熱手段を新たに設ける必要がなく、コストの削減を図ることができる。
【００２４】
また、洗浄槽の最底面に液体が流れていくような傾斜面を底面に設け、最底面に加熱手段を設けるようにした場合には、最底面に液体を集めることができ、効率よく乾燥を行うことができる。
【００２５】
また、洗浄槽の底面の傾斜面に撥水加工を施すようにした場合には、洗浄槽内の傾斜面に液体が残留するのを防止することができ、より効率よく乾燥を行うことができる。
【００２６】
また、洗浄槽の底面の傾斜面に、最底面に向かって延びる帯状の撥水加工部を撥水加工部の長さ方向に直交する方向に所定の間隔を空けて複数配列して設けるとともに、撥水加工部の間隔部分の延長線上の最底面に加熱手段を帯状に所定の間隔を空けて設けるようにした場合には、洗浄槽の傾斜面に残留した液体を撥水加工部の間隔部分に流しこむことができ、その間隔部分の延長線上の最底面に向かって流れた液体を帯状の加熱手段によって効率よく乾燥させることができる。
【００２７】
また、洗浄槽に洗浄または消毒のために液体が貯留されていない間に加熱手段により洗浄槽の底面が加熱されるときに、蓋部が自動的に開くようにした場合には、洗浄槽内に発生した蒸気を排気することが可能となり、乾燥をより効率良く行うことができる。
【００２８】
また、温度検出部により検出された温度が所定の閾値以上である場合に、加熱手段の動作を停止させるようにした場合には、何らかの異常によって洗浄槽が異常加熱されるのを防止することができる。
【００２９】
また、湿度検出部により検出された湿度に基づいて加熱手段の温度を制御するようにした場合には、湿度に応じて温度を変化させることができるので、たとえば、湿度が高いほど加熱手段の温度が高くなるように制御すれば乾燥速度を早くすることができる。また、湿度が低くなるにつれて加熱手段の温度が低くなるように制御するようにすれば、加熱手段が消費する電力をより少なくすることができる。
【００３０】
また、洗浄槽内の内視鏡の有無を検出し、内視鏡が有ることが検出されている間は加熱手段による加熱を行わないようにした場合には、操作者が洗浄槽内から内視鏡を取り出すのを忘れ、洗浄槽と一緒に内視鏡も加熱されて破壊されるのを防止することができる。
【００３１】
また、洗浄槽に洗浄または消毒のために液体が貯留されていない間に、加熱手段により洗浄槽の底面が加熱された後、省電力モードに切り替えるようにした場合には、自動的に省電力モードに切り替えることができ、消費電力の削減を図ることができる。
【図面の簡単な説明】
【００３２】
【図１】本発明の洗浄装置の一実施形態を用いた内視鏡洗浄装置の外観を示す斜視図
【図２】図１に示す内視鏡洗浄装置の装置本体の上面図
【図３】図２に示す装置本体の洗浄槽の３−３線断面図
【図４】撥水加工部およびヒーターの配置の仕方の一実施形態を示す図
【図５】乾燥モードにおいて上蓋が開かれている状態を示す図
【図６】装置本体内の概略構成を示す図
【図７】制御部周辺を示す図
【図８】乾燥モードの動作を説明するためのフローチャート
【発明を実施するための形態】
【００３３】
以下、図面を参照して本発明の内視鏡洗浄装置の一実施形態について詳細に説明する。図１は、本実施形態の内視鏡洗浄装置の概略構成を示す斜視図である。
【００３４】
本実施形態の内視鏡洗浄装置は、図１に示すように、箱型に形成された装置本体１０と上蓋１１とから構成されている。また、装置本体１０の上部前面には、複数のボタンを有する操作パネル１３が設けられている。
【００３５】
また、上蓋１１は、装置本体１０の上部後方で回動可能に接続されており、装置本体１０の下部前面に設けられたフットペダル１２が踏動されるに従って、電動で開閉するように構成されている。また、上蓋１１は、後述する乾燥モードにおいては排気のために自動的に開くように構成されている。
【００３６】
操作パネル１３は、内視鏡洗浄装置１を制御するコマンドを入力するためのスイッチである。そして、操作パネル１３には、後述する乾燥モードを指示入力するためのスイッチが設けられているとともに、所定のエラーメッセージなどを表示する液晶パネルが設けられている。
【００３７】
図２は装置本体１０の上面図、図３は図２に示す装置本体１０の洗浄槽の３−３線断面図である。
【００３８】
図２に示すように、装置本体１０の上面には内視鏡を収納する洗浄槽２０が形成され、この洗浄槽２０の周辺には、洗浄槽２０内に水道水を供給するための給水・循環ノズル２１と、洗浄槽２０内に洗浄剤を供給するための洗浄剤ノズル２２と、洗浄槽２０内に消毒液を供給するための消毒液ノズル２３とが設けられている。また、洗浄槽２０の底面には、洗浄槽２０内に貯留された水道水、洗浄剤または消毒剤などを排液口２４が設けられている。
【００３９】
また、図２および図３に示すように、洗浄槽２０の底面は、第１の傾斜面２０ａ、第２の傾斜面２０ｂ、および最底面２０ｃから形成され、これらの面が装置本体１０の前方（操作パネル１３側から）から順に配置されている。そして、第１の傾斜面２０ａの方が第２の傾斜面２０ｂよりも傾斜角度が小さくなるように形成されている。このように傾斜面２０ａ，２０ｂを形成することにより、洗浄槽２０に貯留された液体を排液する際、洗浄槽２０内の液体を最底面２０ｃ側に流しこむようにすることができる。また、上記のように液体を最底面２０ｃにより流し込みやすくするために、第１の傾斜面２０ａおよび/または第２の傾斜面２０ｂに撥水加工を施すようにしてもよい。
【００４０】
そして、洗浄槽２０の最底面２０ｃの裏側には、この最底面２０ｃを加熱するヒーター３０が設けられている。ヒーター３０としては、たとえば、シリコンラバーヒーターなどを用いることができる。
【００４１】
ここで、ヒーター３０は、最底面２０ｃの全面に設けるようにしてもよいが、最底面２０ｃの一部に設けるようにしてもよい。たとえば、図４に示すように、洗浄槽２０の傾斜面２０ａ，２０ｂに、最底面２０ｃに向かって延びる帯状の撥水加工部３１をその長さ方向に直交する方向に所定の間隔を空けて複数配列して設け、その撥水加工部３１の間隔部分の延長線上の最底面２０ｃに、帯状のヒーター３０ａを複数配列して設けるようにしてもよい。図４に示すように撥水加工部３１とヒーター３０ａとを設けることによって、洗浄槽２０の傾斜面に残留した液体を撥水加工部３１の間隔部分に流しこむことができ、その間隔部分の延長線上の最底面２０ｃに向かって流れた液体を帯状のヒーター３０ａによって効率よく乾燥させることができる。
【００４２】
また、ヒーター３０としては、撥水加工部３１の間隔部分に幅を合わせた櫛型のヒーター１個を用いるようにしてもよい。
【００４３】
また、後述する乾燥モードにおいては、ヒーター３０による加熱によって発生した蒸気を排気できるように、図５に示すように、上蓋１１を少し開けるようにするが、排気をより促進させるために送気口３２を設け、この送気口３２から上蓋１１の開口に向かって空気を送るようにしてもよい。送気口３２の位置は、図５に示すように、上蓋１１の開口に対向する位置に設けることが望ましいが、これに限らず、その他の位置に設けるようにしてもよい。また、洗浄槽２０内に液体が貯留される場合には、この送気口３２は、液体が漏れないように閉塞されるものとする。また、本実施形態においては、上記のように上蓋１１を少し開けることによって排気するようにしたが、これに限らず、排気口を別途設けるようにしてもよい。
【００４４】
次に、装置本体１０のその他の構成について図６を参照して説明する。なお、図６は、装置本体１０に設けられた構成要素を示すだけの図であり、その構成要素の配置関係について正確に示す図ではない。
【００４５】
図６に示すように、装置本体１０には、水道水を取り入れるための水道水取入口４０および弁４１が設けられており、弁４１を開くとともに、弁５４を水道水取入口４０側に切り替えることにより、給水・循環ノズル２１から洗浄槽２０内に水道水を供給可能に構成されている。
【００４６】
また、循環口５２には、弁５４側に送液するためのポンプ５３が取り付けられており、循環口５２から吸引した液を、給水・循環ノズル２１を介して再度洗浄槽２０内に循環させることが可能なように構成されている。
【００４７】
また、装置本体１０内には、消毒液が貯留される消毒液タンク４５と洗浄剤が貯留される洗浄剤タンク４７が設けられている。
【００４８】
また、排液口２４には切替弁４２が取り付けられており、洗浄槽２０内から消毒液を回収する場合には、切替弁４２を消毒液タンク４５側に切り替えることにより消毒液が回収可能となり、洗浄槽２０内の消毒液を排液する場合には、切替弁４２をポンプ４３側に切り替えることにより、ポンプ４３を介して消毒液を装置外部に排液可能に構成されている。
【００４９】
また、装置本体１０には、圧縮空気を送出するエアポンプ４８が設けられており、このエアポンプ４８を駆動することによって送気口３２から送気可能に構成されている。
【００５０】
また、洗浄槽２０の表面付近には、洗浄槽２０内に貯留された液体の温度および洗浄槽２０内の空気の温度を検出する温度センサ４９と、洗浄槽２０内の空気の湿度を検出する湿度センサ５０とが設けられている。
【００５１】
また、洗浄槽２０の裏側には、洗浄槽２０内における内視鏡の有無を検出する重量センサ５１が設けられている。なお、本実施形態では、洗浄槽２０内における内視鏡の有無を検出するものとして重量センサ５１を設けるようにしたが、重量センサに限らず、たとえば、洗浄槽２０内に光源および光学センサなどを設けて、光学的に内視鏡の有無を検出するようにしてもよい。
【００５２】
さらに、装置本体１０は、図７に示すようにＣＰＵからなる制御部６０を備えている。制御部６０は、内視鏡洗浄装置１の全体を制御するものであり、予め設定した洗浄プログラムに従って内視鏡の洗浄開始から終了までを自動で制御するものである。特に、制御部６０は温度センサ４９、湿度センサ５０または重量センサ５１により検出された情報に基づいて、ヒーター３０の加熱を制御するものであるとともに、乾燥モードにおける上蓋１１の自動開閉を制御するものである。
【００５３】
次に、本実施形態の内視鏡洗浄装置１における内視鏡の洗浄動作について説明する。
【００５４】
まず、操作者によりフットペダル１２が踏動されることによって上蓋１１が開き、検査で使用された内視鏡が、内視鏡洗浄装置１の洗浄槽２０に収容される。そして、フットペダル１２が元の位置に戻されることによって上蓋１１が閉じられ、操作パネル１３からのスタートコマンドの入力により、予め設定された洗浄動作が開始される。
【００５５】
まず、洗浄時には、給水・循環ノズル２１から水道水が洗浄槽２０内に供給されるとともに、洗浄剤ノズル２２から濃縮された洗浄剤が洗浄槽２０内に供給され、洗浄槽２０内で実用濃度に希釈された洗浄液が生成される。
【００５６】
そして、循環口５２から吸引された洗浄液を給水・循環ノズル２１から噴出して洗浄槽２０内に貯留された洗浄液に回流を発生させることによって内視鏡全体を洗浄する。そして、上記の洗浄動作を所定時間行なった後、洗浄液を排液口２４から排液させる。
【００５７】
次に、消毒時には、消毒液ノズル２３から消毒液が洗浄槽２０内に供給されて貯留される。そして、ヒーター３０が加熱し、消毒性能を保証するために消毒液が所定の温度以上になるまで加熱される。なお、このときの消毒液の温度は温度センサ４９によって検出され、温度センサ４９によって検出された温度に基づいて制御部６０はヒーター３０の加熱を制御する。
【００５８】
そして、循環口５２から吸引された消毒液を給水・循環ノズル２１から噴出し、洗浄槽２０内に貯留された消毒液に回流を発生させることによって内視鏡全体を消毒する。そして、所定時間経過後、消毒液を消毒液タンク４５に回収する。
【００５９】
次に、すすぎ時には、水道水を給水・循環ノズル２１より洗浄槽２０内に供給した後、循環口５２から吸引された水道水を給水・循環ノズル２１から噴出し、洗浄槽２０内の水道水を攪拌して内視鏡全体のすすぎを行なう。そして、所定時間経過後、洗浄槽２０内の液を排液口２４から排液する。
【００６０】
上記のようにして内視鏡の洗浄動作が行われた後、操作者によりフットペダル１２が踏動されることによって上蓋１１が開き、洗浄槽２０内から内視鏡が取りだされ、洗浄槽２０内の乾燥動作が行われる。
【００６１】
次に、この洗浄槽２０内の乾燥動作について、図８のフローチャートを参照しながら説明する。
【００６２】
まず、操作パネル１３における指示入力により乾燥モードが選択される（Ｓ１０）。乾燥モードが選択されると、制御部６０は、重量センサ５１により検出された重量情報を確認する。そして、その重量センサ５１により検出された重量が所定の閾値以下である場合には、内視鏡が洗浄槽２０から取り出されてなくなっているものと判断する。一方、重量が所定の閾値より大きい場合には、内視鏡が洗浄槽２０から取り出されておらず、まだ洗浄槽２０内に存在するものと判断する。
【００６３】
そして、洗浄槽２０内に内視鏡がないと判断した場合には（Ｓ１２、ＮＯ）、制御部６０は上蓋１１を自動的に少し開けて、洗浄槽２０内で発生した蒸気を排気可能な状態にする（Ｓ１４）。そして、エアポンプ４８が駆動され、送気口３２から洗浄槽２０への送気が開始される（Ｓ１６）。
【００６４】
次に、制御部６０は、温度センサ４９により検出された温度情報を確認する。そして、この温度センサ４９により検出された洗浄槽２０の温度が所定の閾値以下である場合には（ＳＴ１８、ＹＥＳ）、ヒーター３０をＯＮし、洗浄槽２０の底面を加熱する（Ｓ２０）。このとき、制御部６０は、湿度センサ５０により検出された湿度情報も確認し、この湿度センサ５０により検出された湿度が高いほどヒーター３０の加熱温度が高くなるように設定する。そして、制御部６０は、洗浄槽２０の温度が所定の閾値に達した場合には、その温度を維持できるようにヒーター３０の加熱温度を制御する。なお、このとき上記のように一定温度に維持するのではなく、湿度センサ５０により検出された湿度に応じて加熱温度を変えるようにしてもよい。すなわち、湿度センサ５０により検出される湿度が低くなるのに応じて加熱温度を下げるようにしてもよい。
【００６５】
一方、温度センサ４９により検出された洗浄槽２０の温度が所定の閾値より高い場合には（Ｓ１８、ＮＯ）、制御部６０はヒーター３０をＯＮすることなく、ＯＦＦにしたままとする（Ｓ２２）。
【００６６】
そして、制御部６０は一定時間が経過したかを確認する（Ｓ２４）。なお、ＳＴ１８において洗浄槽２０の温度が所定の閾値よりも高いと判断され、ヒーター３０をＯＮしなかった場合において、上記一定時間が経過する前に、洗浄槽２０の温度が上記所定の閾値以下となった場合には、ヒーター３０をＯＮにし、洗浄槽２０の温度を上記所定の閾値に維持するようにしてもよい。
【００６７】
そして、制御部６０により一定時間経過したと判断された場合には（Ｓ２４、ＹＥＳ）、制御部６０は、ヒーター３０をＯＦＦするとともに、エアポンプ４８による送気も停止し、上蓋１１も自動的に閉じる（Ｓ２６）。
【００６８】
そして、上記のようにして乾燥モードを終了した後、省電力モードに移行する（Ｓ２８）。本実施形態では、この省電力モードにおいて、装置全体を制御する制御部６０以外の全て部分への電力供給を停止する。具体的には、上蓋開閉モータ、全体冷却ファンおよびポンプ駆動電源などへの電力供給を停止する。なお、制御部６０の電源部と制御部６０以外の電源部とを別々に設けるようにしてもよく、その場合、制御部６０の電源部の方が供給電圧が低いものとすることが望ましい。たとえば、制御部６０の電源部としてＤＣ５Ｖ電源を、制御部６０以外の電源部としてＤＣ２４Ｖ電源を用いることができる。そして、省電力モード時には、ＤＣ２４Ｖ電源からの電力の供給のみを遮断するようにすればよい。
【００６９】
なお、Ｓ１２において、洗浄槽２０内に内視鏡があると判断された場合には、制御部６０は、操作パネル１３の液晶パネルに、洗浄槽２０内に内視鏡が存在するため乾燥モードを実施できないことを報知するメッセージを表示する。
【００７０】
また、上記実施形態の内視鏡洗浄装置１において、ヒーター３０による加熱温度が何らかの異常によって異常温度となり、所定の閾値温度より高くなった場合には、制御部６０がヒーター３０の通電を遮断することによってヒーター３０の動作を停止させるようにしてもよい。
【００７１】
以上、本発明の内視鏡洗浄装置の一実施形態について詳細に説明したが、本発明は上記実施形態に限定されるものではない。
【符号の説明】
【００７２】
１     内視鏡洗浄装置
１０   装置本体
１１   上蓋
１２   フットペダル
１３   操作パネル
２０   洗浄槽
２０ａ 第１の傾斜面
２０ｂ 第２の傾斜面
２０ｃ 最底面
２１   給水・循環ノズル
２２   洗浄剤ノズル
２３   消毒液ノズル
２４   排液口
３０   ヒーター
３１   撥水加工部
３２   送気口
４０   水道水取入口
４５   消毒液タンク
４７   洗浄剤タンク
４９   温度センサ
５０   湿度センサ
５１   重量センサ
５２   循環口
６０   制御部
【図１】
2010233634.tif 000003
【図２】
2010233634.tif 000004
【図３】
2010233634.tif 000005
【図４】
2010233634.tif 000006
【図５】
2010233634.tif 000007
【図６】
2010233634.tif 000008
【図７】
2010233634.tif 000009
【図８】
2010233634.tif 000010